(57)【特許請求の範囲】
【請求項１】
建物の開口部の内周面に取付けられる左右のガイド枠及び下枠と、前記左右ガイド枠に沿って巻取り及び巻戻しされるスクリーンと、このスクリーンを収容し、且つ、前記内周面に取付けられる収容ボックスを備えると共に、
前記左右ガイド枠及び前記下枠の少なくとも屋内外の何れか一方の側に、加熱発泡材を設け、
前記左右ガイド枠の内部には、前記スクリーンの両縁のたて辺をスライドさせる案内溝としてのスリットを備える筒状の形材で形成されたガイド部材がその全側面の周囲にクリアランスを形成するように収容されており、
前記加熱発泡材は、前記左右ガイド枠及び前記下枠の前記内周面との取付面に、前記加熱発泡材が前記取付面から離れる方向に脱落することを防止する抜け止め部を両端に有するように形成された溝部に収容され、
前記左右ガイド枠及び前記下枠の屋内外の何れか他方の側の溝部には、隙間隠材が設けられていることを特徴とする防火用スクリーン。
【請求項２】
前記収容ボックスにも、加熱発泡材を設けたことを特徴とする請求項１に記載の防火用スクリーン。
【発明の詳細な説明】
【技術分野】
【０００１】
本願発明は、建物の開口部に装着されて該開口部を開閉する開閉装置に関し、特に防火設備として使用できる防火用スクリーンに関する。
【背景技術】
【０００２】
万が一の火災の際に、発生する恐れがある人的被害等を防ぐため、建物の開口部に防火設備を設置することが、要請されている。
建物の開口部を防火仕様に改修する方法として、外付の防火シャッターを付加する方法がある。
しかし、建物の開口部の外側に庇があるときは設置できず、収納ボックスが大きく設置できず、また開口部が出窓のように外に飛び出す形状の場合には設置できないことがある。
また、防火シャッターは一般に金属製スラットから構成されているが、防火シャッターの建物開口部の内側への設置は、意匠的にも受け入れ難いし、梁等の内部の制約も多い。
【０００３】
特許文献１には、建物の屋内側（ガラス窓の室内側）に、シャッターボックスとシャッターレールとシャッターの受け台からなるシャッター枠を設け、金属製スラットの代わりに透明フィルムによるスラットを設けたシャッターが開示されている。
このシャッターは、シャッターボックス、シャッターレール及びシャッター受け台が室内面から露出して、防火対策の面で、そのまま防火用スクリーンに応用することはできない。
【先行技術文献】
【特許文献】
【０００４】
【特許文献１】特開２０００−１７０４５３号公報
【発明の概要】
【発明が解決しようとする課題】
【０００５】
出願人は、かかる従来技術の課題を克服するため、建物開口部の内側への設置に相応しい防火用スクリーンの開発を進めると共に、その防耐火性能の有無を試験する防火試験から、次のような課題を得ることができた。
即ち、火災時に、防火用スクリーンの左右ガイド枠と下枠が熱延びを引き起こし、その際、部材長手方向において、固定ネジ間に反りが発生するとともに、左右ガイド枠及び下枠と建物開口部の間に隙間が発生して、火炎が屋内外に貫通する虞があることである。
本願発明は、上記課題を解決すると共に、その成果しての防火用スクリーンを提供することを目的とする。
【課題を解決するための手段】
【０００６】
上記課題を解決するため、建物の開口部の内周面に取付けられる左右のガイド枠及び下枠と、前記左右ガイド枠に沿って巻取り及び巻戻しされるスクリーンと、このスクリーンを収容し、且つ、前記内周面に取付けられる収容ボックスを備えると共に、前記左右ガイド枠及び前記下枠の少なくとも屋内外の何れか一方の側に、加熱発泡材を設け、前記左右ガイド枠の内部には、前記スクリーンの両縁のたて辺をスライドさせる案内溝としてのスリットを備える筒状の形材で形成されたガイド部材がその全側面の周囲にクリアランスを形成するように収容されており、前記左右ガイド枠及び前記下枠の前記内周面との取付面に形成されて、前記加熱発泡材が前記取付面から離れる方向に脱落することを防止する抜け止め部が両端に設けられた溝部に収容され、前記左右ガイド枠及び前記下枠の屋内外の何れか他方の側の溝部には、隙間隠材が設けられていることを特徴とする防火用スクリーンとした（請求項１に記載の発明）。
【０００７】
上記発明において、前記収容ボックスにも加熱発泡材を設けたことを特徴とする防火用スクリーンとした（請求項２に記載の発明）。
【発明の効果】
【００１０】
本願発明によれば、火災の際に、加熱発泡材が膨張して、前記内周面と前記左右ガイド枠、前記下枠及び前記収容ボックスの間に発生する隙間を塞ぎ、火炎の貫通を防止することができる。
【図面の簡単な説明】
【００１１】
【図１】本願発明に係る防火用スクリーンの中央縦断面図、
【図２】同横断面図、
【図３】同横断面図における左ガイド枠の要部拡大図である。
【発明を実施するための形態】
【００１２】
本発明に係る防火用スクリーン１は、図１及び図２のように、建物の開口部２の内周面２０に取付けられる左右のガイド枠３、４及び下枠５と、それら左右ガイド枠３、４に沿って巻取り及び巻戻しされるスクリーン１０と、このスクリーン１０を収容し、且つ、前記内周面２０に取付けられる収容ボックス６を備えている。
そして、前記左右ガイド枠３、４及び前記下枠５の屋外側において、前記左右ガイド枠３、４と前記内周面２０の間及び前記下枠５と前記内周面２０の間に、それぞれ加熱発泡材７を取付けている。
【００１３】
さらに、前記収容ボックス６の屋外側において、その収容ボックス６と前記内周面２０の間にも、加熱発泡材７が取付けられている。
なお、この実施形態では、加熱発泡材７はそれぞれの部材の長手方向全長に設けられている。
【００１４】
前記防火用スクリーン１は、建物の開口部２としての建物の外壁に設けられた窓、出入口等であって、内周面２０としての開口部２の内側を形成する周面に取付けられものである。
この実施形態では、開口部２には額縁２１が取付けられ、それらの額縁２１により内周面２０が形成されている。
前記スクリーン１の木造納まりの場合においても、また同ＲＣ造納まりの場合においても、これらの額縁２１を設けることとし、開口部２に額縁２１を回さない場合には、開口部２に直接防火用スクリーン１を取付けてもよい。
【００１５】
前記左ガイド枠３と前記右ガイド枠４は、略同一に構成されているので、前記左ガイド枠３の構成例について説明し、前記右ガイド枠４の構成例の説明を省略する。
前記左ガイド枠３は、図１及び図２に図示されているように、長尺状のもので、その断面形状が略コ字状に形成されている。
前記左ガイド枠３の背面３０が前記内周面２０との取付面になっており、その背面３０に対向する開口３１が設けられ、内部の空間Ｓにガイド部材８が収容されている。
前記背面３０は、屋外側の端部と屋内側の端部に、その長尺方向に沿って溝部３２、３３を備え、ネジ等により額縁２１に固定されている。
前記開口３１には、スクリーン１０の先端辺１１を取付けるボトム枠１２の端部１３、１３が入込み、その自由端３４、３４がスクリーン１０の巻取り及び巻戻しの際に、上下にスライドするボトム枠１２をガイドするようになっている。
また、前記自由端３４、３４は、ガイド部材８が当接可能になっており、その抜け止め防止手段となっている。
【００１６】
屋外側の前記溝部３２には、その両端に亘って前記加熱発泡材７が収容されると共に、接着剤、両面テープ等を介して前記溝部３２に固定されている。
前記加熱発泡材７は、加熱されることにより膨張して、耐火・防火性能を発揮するものである。
よって、火災時に、左右ガイド枠３、４が熱延びを引き起こし、その際、部材長手方向において、ネジ間に反りが発生するとともに、前記内周面２０との間に隙間が発生した場合、その隙間を閉塞させることができ、火炎が屋内外に貫通することを防ぐことができる。
前記加熱発泡材７として、例えば積水化学工業株式会社のフィブロック（登録商標）を使用することができる。
【００１７】
前記左ガイド枠３の背面３０が前記内周面２０に固定され、前記溝部３２が前記内周面２０に塞がれることにより、前記加熱発泡材７は、内周面２０と形材の間に納められている。
よって、接着剤等の経年劣化や、加熱発泡材７の膨張開始（約２００℃）前に接着剤が溶融する（約１２０℃）場合に、加熱発泡材７が前記溝部３２から剥離しても、その取付位置が保持されるようになっていて、前記加熱発泡材７の機能が発揮されるようになっている。
【００１８】
前記各ガイド部材８、８は、図２及び図３に示すように、前記スクリーン１０の両縁のたて辺１４、１４をスライドさせる案内溝としてのスリット８０、８０を備える略口状の形材で形成されている。
そして、前記左右ガイド枠３、４に沿うように長尺状に形成されていると共に、前記左右ガイド枠３、４に固定されることなく独立した状態で、例えば額縁２１上に載置されている。
即ち、ガイド部材８、８は、前記左右ガイド枠３、４の内部において、その周囲にクリアランスＣ（遊び／隙間）が形成されるように収容されている。
【００１９】
前記下枠５は、図１及び図２のように前記左右ガイド枠３、４の各下端で固定される長尺状のもので、その断面形状が図１のように、略Ｃ字状に形成されている。
前記下枠５の背面５０が前記内周面２０との取付面になっており、その背面５０に対向する開口５１は、前記ボトム枠１２の下端が入り込む凹部５２を備えている。
前記背面５０の屋外側及び屋内側の各端部には、その長尺方向に沿って、それぞれ溝部５３、５４が形成され、屋外側の前記溝部５３には、その両端に亘り、前記加熱発泡材７が収容されている。よって火災時に下枠５が熱延びを引き起こし、その際、部材長手方向において、ネジ間に反りが発生するとともに、内周面２０との間に隙間が発生した場合、その隙間を閉塞させることができ、火炎が屋内外に貫通することを防ぐことができる。
【００２０】
また、前記下枠５の背面５０が前記内周面２０に固定され、前記溝部５３が前記内周面２０に塞がれることにより、接着剤等の経年劣化や、加熱発泡材７の膨張開始（約２００℃）前に接着剤が溶融する（約１２０℃）場合に、加熱発泡材７が前記溝部５３から剥離されても、前記加熱発泡材７は、その取付位置が保持されるようになっていて、前記加熱発泡材７がその機能を発揮できるようになっている。
【００２１】
この実施形態においては、前記加熱発泡材７は、左右ガイド枠３、４及び下枠５の屋外側の前記溝部３２、４２、５３に配置されているが、左右ガイド枠３、４及び下枠５の屋内側の前記溝部３３、４３、５４に配置したり、屋内外の前記各溝部３２、３３、４２、４３、５３、５４に配置してもよい。
前記加熱発泡材７は、左右ガイド枠３、４及び前記下枠５の少なくとも屋内外の何れか一方の側に設けられればよいので、前記加熱発泡材７を、前記背面３０、４０、５０の中央に配置してもよく、背面３０、４０、５０の領域内であればその配置位置及び配置範囲に限定されることはない。
【００２２】
この実施形態では、前記加熱発泡材７が配置されていない左右ガイド枠３、４及び下枠５の各溝部３３、４３、５４には、弾性材等の隙間隠材９が配置され、前記内周面２０と前記背面３０、４０、５０との間に隙間が発生した場合に、屋外側からの光漏れを防ぐことができる。
【００２３】
前記スクリーン１０は、防火性のもので、ガラスクロス若しくはシリカクロス、又はこれらのクロスに耐火塗料を塗布したもの、含浸させたものにより形成されている。
図３のように、このスクリーン１０のたて辺１４、１４には、抜止部１５、１５が取付けられ、前記ガイド部材８、８のスリット８０、８０を塞ぐように位置されている。
この抜止部１５、１５は、スクリーン１０が撓む力を受けた場合に、その両縁のたて辺１４、１４が、スリット８０、８０から抜け出ることを防ぐものであることから、スリット８０、８０より幅広に形成され、かつ、スクリーン１０のたて辺１４、１４の上下間において、複数個に形成される（それぞれ図示せず）。
【００２４】
前記スクリーン１０のボトム枠１２には、図１のようにラッチ１６が取付けられ、このラッチ１６が下枠５に係止されるようになっている。よって、スクリーン１０による開口部２の閉鎖状態を維持できるようになっている。
【００２５】
前記収容ボックス６は、本体６０と、これを取付けるベース材６１からなり、前記本体６０には、前記スクリーン１０の基端辺を取付けたドラム６２が収容され、そのドラム６２はスクリーン１０を巻取り、巻戻すと共に、その途中において、一時的に、任意の位置で停止できる機構を備えている。
火災時に、ボックス６と内周面２０の間にも隙間ができる場合を考慮して、前記本体６０が内周面２０に接する部分に、溝部６３が形成され、その溝部６３に前記加熱発泡材７が配置され、その機能を発揮できるようにしている。
【００２６】
以上のように構成された防火用スクリーン１の組立手順は、次の通りである。
（イ）  収納ボックス６の取付け
まず、前記ベース材６１を開口部２の上部の額縁２１に固定する。
そのベース材６１に、予め前記加熱発泡材７を取付けた収納ボックス６の本体６０を係止させる。
次に、前記ベース材６１に本体６０をネジ止めする。
（ロ）  左右ガイド枠３、４の取付け
予め前記左右ガイド枠３、４（自由端３４、４４の取付け前）の前記各溝部３２、４２に前記加熱発泡材７を取付けると共に、前記スクリーン１０のボトム枠１２を前記左右ガイド枠３、４の開口３１、４１にセットし、また、前記スクリーン１０の抜止部１５、１５を前記ガイド部材８、８のスリット８０、８０にセットしつつ、前記開口部２の左右の額縁２１、２１に、左右ガイド枠３、４をネジ止めする。
そして、ガイド部材８、８を、左右ガイド枠３、４の開口３１、４１から内部の空間Ｓ、Ｓに収容した後に、自由端３４、４４をネジ止めする。
（ハ）  下枠５の取付け
予め前記溝部５３に前記加熱発泡材７を取付けた前記下枠５を前記左右ガイド枠３、４の下端間に配置し、下部の額縁２１にネジ止めする。
なお、下枠５の部材長さは、図３のように左右ガイド枠３、４の下端間の寸法よりも若干短くなっている。
以上の手順で、防火用スクリーン１を現場で取付けるが、各枠と収容ボックスを接合可能な構成（図示せず）として、既に組立てた防火用スクリーン１を開口部２に固定してもよい。
【００２７】
以上の構成の防火用スクリーン１の作用効果は、次の通りである。
（１）  防火用スクリーン１の加熱発泡材７は、屋外側の左右ガイド枠３、４及び下枠５の前記各溝部３２、４２、５３に配置されているので、屋外側及び屋内側からの火炎に反応して膨張するので、これらの形材と内周面２０との間の隙間を閉塞させることができ、火炎が屋内外に貫通することを防ぐことができる。
（２）  前記加熱発泡材７を収容している前記各溝部３２、４２、５３が、開口部２の内周面２０に塞がれることにより、前記加熱発泡材７は内周面２０と形材の間に納められ、接着剤等の経年劣化や、火災時の接着剤の溶融により、前記加熱発泡材７が前記溝部３２、４２、５３から剥離されても、その配置位置が保持されるようになっていて、前記加熱発泡材７がその機能を発揮できるようになっている。
前記収納ボックス６の前記加熱発泡材７においても、同様に作用する。
（３）  防火用スクリーン１を構成する左右ガイド枠３、４及び下枠５は、形材の構成がコンパクトなことから火災時に温度上昇し易いので、前記加熱発泡材７の早めの膨張が期待できる。
（４）  防火用スクリーン１は、建物開口部２に取付けられるサッシ（図示せず）の構成に関係することなく、屋内側（前記サッシの室内側）に取付けることができ、その際に、布状のスクリーン１０を収容するコンパクトな収容ボックス６により、前記開口部２の内側への取付けに適したものとなっている。
（５）  ガイド部材８、８は、前記左右ガイド枠３、４内において、独立すると共に、ガイド部材８、８の周囲にクリアランスＣが形成されている。よって、ガイド部材８、８はその範囲で位置が変位可能となっており、スクリーン１０に外力が作用する場合に、柔軟に対処させることができ、スクリーン１０の操作性の向上につながる。
（６）  また上記（５）の構成及び作用により、建物開口部２がスクリーン１０により閉鎖されている状態で、スクリーン１０に外力、例えば、煙、火炎が作用して撓む場合に、その力を直接的にスクリーン１０の抜止部１５、１５に作用させることなく、スクリーン１０の破損等を防ぐことができる。
（７）  クリアランスＣは、前記左右ガイド枠３、４とガイド部材８、８との間に断熱空間を形成することとなり、左右ガイド枠３、４の受ける熱が、直接的にスクリーン１０の抜止部１５、１５に影響しないようになっている。
（８）  前記防火用スクリーン１は、建物開口部２の内周面２０の額縁２１に固定されているので、左右ガイド枠３、４、下枠５、収容ボックス６の露出面積を少なくでき、防火性を高めることができる。
（９）  スクリーン１０の両端が前記ガイド部材８、８に収容され、その下端もボトム枠１２を介して下枠５に固定され、前記開口部２を閉鎖することができるので、延焼防止や、内部から外部への煙、火炎の吹き出しを防止することができる。
【００２８】
本発明は以上説明した実施形態に限定されるものではなく、多くの変形が本発明の技術的思想内で当分野において、通常の知識を有する者により可能である。
【符号の説明】
【００２９】
１  防火用スクリーン
１０  スクリーン                        １１  先端辺
１２  ボトム枠                          １３、１３  端部
１４、１４  たて辺                      １５、１５  抜止部
１６  ラッチ
２  開口部
２０  内周面                            ２１  額縁
３  左ガイド枠                          ４  右ガイド枠
３０、４０  背面                        ３１、４１  開口
３２、３３、４２、４３  溝部
３４、４４  自由端
５  下枠                                ５０  背面
５１  開口                              ５２  凹部
５３、５４  溝部
６  収容ボックス
６０  本体                              ６１  ベース材
６２  ドラム                            ６３  溝部
７  加熱発泡材
８  ガイド部材
８０、８０  スリット
９  隙間隠材
【図１】
0006532671.tif 000002
【図２】
0006532671.tif 000003
【図３】
0006532671.tif 000004